(57)【要約】【課題】本発明は複数のマッサージローラを足の裏に弧形で往復、上昇運動させることを通じて、足部に有効的で十分に血液循環を促進することができ、それによって足部の治療と保健の作用を達成する往復式足部マッサージ装置を開示する。【解決手段】モータと支持板の孔の中に位置するマッサージの部品を含み、支持板の下方に２組の対称な運動制御部品を設け、前記各運動制御部品は順次接続された前記モータの軸上のハンドル、ハンドル上の偏心した位置のピン、連接棒と挺子から構成され、前記連接棒は前記挺子の中部と連結しており、挺子の上端にマッサージローラを設置し、各組の運動制御部品は２〜３セットを含み、そして横方向に並列に分布している。各組の運動制御部品が分布する区域の幅は５〜１０センチメートルである。各組のハンドル上のピンの偏心距離が横方向へ順次逓増し、前記各組の挺子が横方向へ順次逓増する。マッサージローラは弾力性の材料を採用しており、マッサージローラの表面に乳突上の突起、或は加熱装置や薬のマットや磁性材料を設ける。【選択図】図１
2009531090.tif 000002
【特許請求の範囲】
【請求項１】
モータと、支持板孔の中に位置するマッサージ部品とを含む往復式足部マッサージ装置であって、支持板の下方に２組の対称な運動制御部品を設け、前記それぞれの運動制御部品は順次連結した前記モータの軸上のハンドル、ハンドル上の偏心位置にあるピン、連接棒と挺子から構成され、前記連接棒は前記挺子の中部と連結しており、前記挺子の上端にはマッサージローラが設けられており；前記各組の組運動制御部品は２〜３セットを含み、且つ、横方向に並列に分布している、ことを特徴とする往復式足部マッサージ装置。
【請求項２】
前記各組の運動制御部品の分布区域の幅は５〜１０センチメートルである、ことを特徴とする請求項１記載の往復式足部マッサージ装置。
【請求項３】
前記各組のハンドル上のピンの偏心距離が横方向へ順次逓増することを特徴とする請求項１記載の往復式足部マッサージ装置。
【請求項４】
前記各組の挺子が横方向へ順次逓増することを特徴とする請求項１記載の往復式足部マッサージ装置。
【請求項５】
前記マッサージローラと挺子との連結にはヒンジ構造が用いられている、ことを特徴とする請求項１記載の往復式足部マッサージ装置。
【請求項６】
前記マッサージローラは弾性材料を用いている、ことを特徴とする請求項１記載の往復式足部マッサージ装置。
【請求項７】
前記マッサージローラの表面に乳突状の突起又は加熱装置、又は薬のマット、又は磁性材料が設けられている、ことを特徴とする請求項１記載の往復式足部マッサージ装置。
【発明の詳細な説明】
【技術分野】
【０００１】
本発明は人体の保健装置に関し、特に人体の足部の保健装置に関する。
【背景技術】
【０００２】
中国の伝統医学では人の老衰が足部から始まると考えられている。その原因は、足裏は人体の第２の心臓であって、その上に人体の各器官の反射区が集中していることである。即ち、足裏は人体の各器官の収斂点であって、特定の反射区の筋脈に対するマッサージと刺激を通して、反射区の筋脈の機能を回復することができる。
【０００３】
漢方医の経絡学説によれば、足部は三陽経と足の三陰経の通る部位で、足裏と足指はそれらの末端で、しかもそれらが集まり、つながる所が表裏を構成し、人体全体の各部を貫いていて、お互いにとけ合っていると考えられている。
【０００４】
また、西洋医学の解剖学では足部の血管がとても豊富だと考えている。通常、私達は誰もが、このような体験をしたことがある。即ち、ぬるま湯で足を洗って、その上ほど良いマッサージを加えると、血液循環に役立ち、病気を遠ざけ、身体を強め、体を鍛える役割を果たす作用を達成する。
【０００５】
人々の生活水準の向上に従って、人々の保健意識も向上し、足裏への保健に対してもますます重視して、足裏へのマッサージはすでに人々の日常生活の中に溶け込んでいる。現在、一種の足をケアーするサービス業が流行していて、主に人為的なマッサージを通して、疲労の解消、身体の強化、健康増進の作用を達成することを目的としているが、その環境が公共の場所のため、衛生条件を制御しにくく、各類の皮膚病を引き起こしやすい。
【０００６】
足裏をマッサージすることができ、また各種の皮膚病の感染を免れることもできるように、人々が家庭で使う足裏のマッサージに適応する各種の器具が相次いで出現している。
【０００７】
現在、市販されている足裏をマッサージする器具は殆どが平板式の足裏マッサージ器で、しかもマッサージの方式は単一的な震動マッサージが多く、機械的で単調なマッサージの方式であって、心地良い感覚が得られず、足裏のツボにマッサージする的確性に劣ると言う欠点が存在しているので、ユーザーの要求を満たしにくい。
【発明の開示】
【０００８】
従来の技術における不足を克服するために、本発明は複数のマッサージローラが足の裏に弧形で往復、上昇運動することを通じて、足部の血液循環を有効に促進することができ、それによって足部の治療と保健の作用を達成する往復式足部マッサージ装置を提供する。当該往復式足部マッサージ装置は人体の足部の下向の自然な圧力を借りて、往復しながら上昇するマッサージローラによって足裏に繰り返し転がるような押圧を与え、人の指で足裏を揉んだり、押さえたりする動作を非常に本物そっくりに模倣して、広面積に足裏の筋肉と皮膚を撫で、ツボをマッサージする。
【０００９】
上記の技術的課題を解決するために、本発明は以下の技術的解決手段により実現される。本発明の往復式足部マッサージ装置は、モータと、支持板の孔の中に位置するマッサージ部品を含み、支持板の下方に２組の対称の運動制御部品を設け、前記各運動制御部品は順次接続された前記モータの軸上のハンドル、ハンドル上の偏心した位置のピン、連接棒と挺子から構成され、前記連接棒は前記挺子の中部と連結しており、前記挺子の上端にはマッサージローラが設置されており；前記各組の運動制御部品は２〜３セットを含み、そして横方向に並列に分布している。
【００１０】
本発明の往復式足部マッサージ装置は、前記各組の運動制御部品が分布する区域の幅は５〜１０センチメートルである。
【００１１】
本発明の往復式足部マッサージ装置は、前記各組のハンドル上のピンの偏心距離が横方向へ順次逓増する。
【００１２】
前記各組の挺子が横方向へ順次逓増する。
【００１３】
前記マッサージローラは弾性の材料を用いている。
【００１４】
前記マッサージローラの表面に乳突状の突起、或は加熱装置や薬のマットや磁性材料を設けている。
【００１５】
従来の技術と比較すると、本発明は以下のメリットを持っている：
（１）本発明の往復式足部マッサージ装置の構造設計は合理的なため、特にその中の運動制御部品がクランクの連接棒のメカニズムを採用していることにより横方向に分布している複数のマッサージローラの上昇高度が足裏の横方向の曲線に合致するため、人体の足の自重を借りて、マッサージの過程を人の指が足裏を揉んだり、押さえたりする動作を非常に本物そっくりに模倣し、しかもマッサージローラが前後に往復しながら押圧する過程において、力度を緩和し弛緩する過程があり、通常の単一方向への転がりと押圧が足裏の筋肉と皮膚に対して強過ぎる摩擦になりやすいという現象を克服し、とても心地良い感覚の状態の下で、経絡の流れを活発にし、足部の血液循環を促進する。
（２）本発明の往復式足部マッサージ装置におけるマッサージローラは複数列で横方向に並列の分布を採用して、異なる位置と異なる高度のマッサージローラの作用によって、足裏の曲面の形に適応して、局部の刺激部位に届く力度を保証することができて、体力を消耗したり両手でマッサージすることなく、人の指が足裏を揉んだり、押さえたりする動作を非常に本物そっくりに模倣し、人体機能調節及び人体新陳代謝アップという保健作用を達成する。
（３）ドラム形のマッサージローラの表面には、乳突状の突起や加熱保温装置を設置したり、薬を含んだマットをかぶせたり、或いは、磁性の点を設けるように選択でき、このようにしてマッサージと同時に熱、力、磁気あるいは薬の何重の理学療法の機能を果たすことができ、足部の毛細血管の拡張を促して、血と気が順調に流れ、足裏の反射区に分布したツボを刺激し、病気を防ぎ、病気を治し、健康増進の効果を得る。
【発明を実施するための最良の形態】
【００１６】
以下、図面と具体的な実施の形態を結び付けて本発明に対してより詳しく述べる。
【００１７】
図１，２，３のように、本発明の往復式足部マッサージ装置は、モータと支持板１１の長い孔１２の中に位置するマッサージ部品とを含み、支持板１１の下方に２組の対称の運動制御部品を設け、前記各運動制御部品は順次接続された前記モータの軸２５上のハンドル２１、ハンドル２１上の偏心した位置のピン２２、連接棒２３と挺子２４から構成され、前記連接棒２３と前記挺子２４との連結点２７は挺子２４の中部に位置し、前記挺子２４の上端にはマッサージローラ３１が設置されており、前記マッサージローラ３１と前記挺子２４との連結にはヒンジ構造が用いられ、前記各組の運動制御部品は２〜３セットを含み、横方向に並列に分布しており、その分布する区域の幅は５〜１０センチメートルである。
【００１８】
複数のマッサージローラ３１の一番高いところが運動の過程の中で形成する包絡面を足裏の曲面の凹凸に合致させるため、足部の内側のマッサージローラを外側のマッサージローラより若干高く設置してもよく、即ち、各組のハンドル２１上にあるピン２２の偏心距離が横方向へ順次逓増し、前記各組の挺子２４の長さは横方向へ順次逓増する。
【００１９】
本発明の往復式足部マッサージ装置足部を使う時には、モータを起動した後に、モータの軸２５はハンドル２１を帯動して回転し、ハンドル２１上の偏心位置に位置したピン２２は連接棒２３を帯動し、つまりピン２２はモータの軸２５の周囲を転動してクランクの作用に相当し、連接棒２３の他端にある挺子２４は挺子の固定軸２６の周囲を往復して揺れ動き、挺子２４上端に設けられたマッサージローラ３１が前後に運動するとともに低−高−低という上下運動を行い、つまり、１つの複合運動の循環を完成し、複数回往復する循環運動の過程中で、足裏の圧力の下で、複数のマッサージローラ３１が足裏を転がりながら押圧して摩擦し、押しながら、上昇するような動きを形成して、人の指が足裏を揉んだり、押さえたりする動作を非常に本物そっくりに模倣し、しかもマッサージローラ３１が往復しながら押圧する過程において、力度を緩和し弛緩する過程があり、通常の単一方向への転がりと押圧が足裏の筋肉と皮膚に対して強過ぎる摩擦になりやすいという現象を克服し、とても心地良い感覚の状態の下で、経絡の流れを活発にし、足部の血液循環を促進する。
【００２０】
本発明の往復式足部マッサージ装置において、前記マッサージローラ３１の表面に乳突状の突起を設けてもよく、その突起の材料はゴムなどのような柔軟で弾力性のある材料を採用することが好ましく、前記マッサージローラ３１の表面にさらに加熱又は保温装置、薬を含むマットや磁性材料などを設けてもよく、このようにしてマッサージと同時に熱、力、磁気あるいは薬の何重の理学療法の機能を果たすことができ、足部の毛細血管の拡張を促して、足部の血液循環を促進して、足裏の反射区に分布したツボを刺激して、経絡の流れ活発にし、両足の疲れとだるい痛さを迅速に取り除くことができて、病気を防ぎ、病気を治し、健康増進の効果を得る。
【００２１】
以上、図面を結び付けて本発明における最適な実施例に対して陳述を行ったが、本発明は上述の具体的な実施の形態に限られず、上述の具体的な実施の形態は模式的なものであって限定的ではなく、当領域の普通の技術者は本発明の示唆のもとで、本発明の主旨と請求の範囲に保護された範囲を離れることなく、多くの形式を作り出すことも可能であり、これらはいずれも本発明の保護の内に属する。
【図面の簡単な説明】
【００２２】
【図１】本発明の往復式足部マッサージ装置の構造の正面図である。
【図２】図１で示した挺子とマッサージローラ部位の側視図である。
【図３】図２で示した長い孔、挺子とマッサージローラ部位の俯瞰図である。
【符号の説明】
【００２３】
１１  支持板
１２  長い孔
２１  ハンドル
２２  ピン
２３  連接棒
２４  挺子
２５  モータの軸
２６  挺子の固定軸
２７  連結点
３１  マッサージローラ
３２  ヒンジ
【図１】
2009531090.tif 000003
【図２】
2009531090.tif 000004
【図３】
2009531090.tif 000005
【国際調査報告】
2009531090.tif 000006
2009531090.tif 000007
2009531090.tif 000008
2009531090.tif 000009
2009531090.tif 000010
2009531090.tif 000011